(57)【特許請求の範囲】
【請求項１】
予め定められる単位記録領域であるセクタ毎にディスク上の位置を表すアドレス情報がアドレス領域にプリフォーマットされている光ディスクにレーザ光を照射して情報の記録を行うデータ記録装置であって、
記録開始セクタよりも以前のセクタにおいてアドレス情報を判定して、該記録開始セクタを判定するとともに、記録終了セクタの次のセクタを判定するアドレス判定手段と、
前記アドレス判定手段の判定結果に応答し、レーザ光の照射パワーを、前記記録開始セクタのアドレス領域内で記録に必要なパワーに上昇させ、前記記録終了セクタの次のセクタのアドレス領域内で前記記録に必要なパワーから低下させるレーザパワー制御手段とを含み、
前記アドレス領域には、前記アドレス情報が複数回記録され、
前記アドレス判定手段は、記録開始セクタであると判定したセクタから読み出された少なくとも１回目のアドレス情報を基に該記録開始セクタが正しいセクタであるかをさらに判定し、
前記レーザパワー制御手段は、前記アドレス判定手段にて正しいセクタであると判別された後に、照射パワーを前記記録に必要なパワーに上昇させることを特徴とする光ディスクのデータ記録装置。
【請求項２】
前記レーザパワー制御手段は、前記アドレス判定手段によって記録開始セクタであると判定されたセクタからアドレス情報が正常に読み出されなかった場合には、前記記録に必要なパワーへの照射パワーの上昇を行わないことを特徴とする請求項１記載の光ディスクのデータ記録装置。
【発明の詳細な説明】
【０００１】
【発明の属する技術分野】
本発明は、光ディスクへデータを記録する装置に関し、特にアドレス情報がプリフォーマットされている光ディスクへのデータ記録装置に関する。
【０００２】
【従来の技術】
ディスク状記録媒体は、アクセス性やデータ転送容量の優位性などから搭載機器が増加しており、中でも、いわゆるデジタルカメラやデジタルムービーに搭載される光ディスクには、撮影枚数や撮影時間を拡大するために、一層の高密度化が望まれている。書込み可能な光ディスクとしては、光磁気ディスク、相変化ディスク、有機色素系ディスク等が知られているが、これらの光ディスクヘの記録は、該光ディスクに照射するレーザ光のパワーを、再生時よりも高くすることで行われる。そして、前記のように高密度に情報を記録および再生するためには、光ディスクに照射するレーザパワーを正確に制御する必要がある。
【０００３】
図９は、一般的なレーザパワー制御回路１の電気的構成を示すブロック図である。このレーザパワー制御回路１は、半導体レーザ２をＡＰＣ（オートパワーコントロール）するものであり、前記半導体レーザ２から光ディスクヘの照射光の一部をディテクタ３で検出し、その検出電流を電流電圧変換回路４によって変換した電圧と、照射すべき光量に対応した制御電圧とを比較回路５において比較し、その比較結果を、電流ドライバ６を通して前記半導体レーザ２にフィードバックすることで、前記制御電圧に相当するレーザパワーに追従するように制御を行う。前記制御電圧は、記録時と再生時とで、それぞれに適切なレーザパワーに相当する電圧に設定される。
【０００４】
一方、光ディスク装置は、セクタと呼ばれるデータブロック単位で情報の記録／再生を行うようになっており、光ディスクには、予め各セクタの先頭にそのセクタを特定するためのアドレス情報を書き込む領域が設けられており、その領域に、製造時にアドレス情報がプリフォーマットされる。記録および再生が行われる場合、このアドレス領域からアドレス情報が読取られて、所望のセクタが特定される。
【０００５】
図１０は、光ディスクのセクタの構成例を示す図である。この例は、典型的な従来技術である特開平６−１８５８２４号公報に示されているものである。各セクタＳには、先頭から、アドレス領域Ａ１、ギャップ領域Ａ２およびデータ領域Ａ３が設けられている。前記アドレス領域Ａ１に、光ディスク上の位置を示す前記アドレス情報がプリフォーマットされる。前記アドレス情報は、該アドレス情報の始まりを示す同期信号ＳＹＮＣ、続いてアドレスデータＩＤ、次にＣＲＣ等の誤り検出符号から構成されている。この図１０の例では、アドレス領域Ａ１において、前記アドレス情報は複数回記録されている。
【０００６】
前記データ領域Ａ３は、記録すべきデータ本体を記録するための領域である。前記ギャップ領域Ａ２は、前記特開平６−１８５８２４号において、アドレス領域Ａ１とデータ領域Ａ３とを区分するためにそれらの間に設けられた領域であり、記録を行う場合、前記アドレス領域Ａ１でアドレスを読取り、目的とするセクタが検出された後、このギャップ領域Ａ２において光ディスクに照射するレーザパワーを、再生時のパワーから記録時のパワーに切換えるための領域である。このギャッブ領域Ａ２においてレーザパワーが切換えられた後、データ領域Ａ３に所望のデータが記録される。また、記録が終了した後には、このギャップ領域Ａ２で、前記記録時のパワーから再生時のパワーに切換えられ、後続するデータ領域Ａ３のデータを破壊しないように構成されている。
【０００７】
以上のような構成の光ディスクに対して、前記特開平６−１８５８２４号の記録装置では、アドレス領域Ａ１でアドレスを読取り、目的とするセクタであると判定されると、後続のギャップ領域Ａ２において前記レーザパワーが記録用に上昇され、記録を終了すると、次のセクタのアドレス領域Ａ１でアドレス検出後、後続するギャップ領域Ａ２でレーザパワーが再生用に低下される。
【０００８】
【発明が解決しようとする課題】
前述のように、高密度に情報の記録／再生を行うためには、レーザパワーの制御にＡＰＣを用いる必要がある。一方、前記レーザパワー制御回路１の記録パワーヘの立上がり時間は、ＡＰＣの制御帯域で決定される。この制御帯域を高く設定すると、前記立上がり時間が短くなり、追従し易くすることができる。しかしながら、該制御帯域が高くなると、ノイズ等の外乱に対してもレーザパワーを反応させてしまうことになり、最悪の場合、半導体レーザ２を破損させてしまうという問題がある。
【０００９】
このため、上記従来の記録装置では、レーザパワーを切換えるためのギャップ領域Ａ２を長くとらないと、記録用のレーザパワーに達するまでにデータ領域Ａ３に到達してしまい、該データ領域Ａ３の先頭部分には記録が行えなくなってしまう。したがって、データの書込みを行うことができない領域である、該ギャップ領域Ａ２が大きくなる、もしくはデータ領域Ａ３の実質的な記録容量が減少することになり、前記の高密度化に対応することができないという問題がある。
【００１０】
本発明の目的は、光ディスクに照射するレーザ光のパワーの立上がり、立下りに時間がかかるような場合でも、光ディスクの記録容量を減少させることなく、所望とするアドレスに正確に情報を記録することができる光ディスクのデータ記録装置を提供することである。
【００１１】
【課題を解決するための手段】
本発明の光ディスクのデータ記録装置は、予め定められる単位記録領域であるセクタ毎にディスク上の位置を表すアドレス情報がアドレス領域にプリフォーマットされている光ディスクにレーザ光を照射して情報の記録を行うデータ記録装置であって、記録開始セクタよりも以前のセクタにおいてアドレス情報を判定して、該記録開始セクタを判定するとともに、記録終了セクタの次のセクタを判定するアドレス判定手段と、前記アドレス判定手段の判定結果に応答し、レーザ光の照射パワーを、前記記録開始セクタのアドレス領域内で記録に必要なパワーに上昇させ、前記記録終了セクタの次のセクタのアドレス領域内で前記記録に必要なパワーから低下させるレーザパワー制御手段とを含み、前記アドレス領域には、前記アドレス情報が複数回記録され、前記アドレス判定手段は、記録開始セクタであると判定したセクタから読み出された少なくとも１回目のアドレス情報を基に該記録開始セクタが正しいセクタであるかをさらに判定し、前記レーザパワー制御手段は、前記アドレス判定手段にて正しいセクタであると判別された後に、照射パワーを前記記録に必要なパワーに上昇させることを特徴とする。
【００１２】
上記の構成によれば、アドレス判定手段によって、１セクタ前のセクタ等の記録を開始すべきセクタよりも以前のセクタで、読出されたアドレス情報に基づいて記録開始セクタであるか否かが判断されており、記録開始セクタであると判定されると、レーザパワー制御手段によって、レーザ光の照射位置にそのセクタのアドレス領域が到達する時点から、該レーザ光の照射パワーが再生時のパワーから記録時のパワーに上昇され、記録を終了すると、次のセクタのアドレス領域で、前記再生時のパワーに低下される。
【００１３】
したがって、レーザ光のＡＰＣの制御帯域から、パワーの立上がり、立下りに時間がかかるような場合でも、光ディスクの記録容量を減少させることなく、所望とするアドレスに正確に情報を記録することができる。
【００１４】
しかも、前記アドレス領域には、前記アドレス情報が複数回記録されており、アドレス判定手段は、記録開始セクタであると判定したセクタから読み出された少なくとも１回目のアドレス情報を基に、判定した該記録開始セクタが正しいセクタであるかをさらに判定するようになっており、レーザパワー制御手段は、前記アドレス判定手段にて正しいセクタであると判別された後、照射パワーを前記記録に必要なパワーに上昇させる。
【００１５】
つまり、記録開始セクタよりも以前のセクタにおいて記録開始セクタであると判定されていても、実際の記録開始セクタとなると、もう１度セクタの判定を行う。したがって、トラック飛びなどによって正しいセクタから外れてしまった場合は、レーザ光の照射パワーは上昇されず、再生時のパワーのままで維持されるので、関係のないセクタのデータを不所望に消去してしまうことを確実に防止することができる。
【００１６】
また、本発明の光ディスクのデータ記録装置では、前記レーザパワー制御手段は、記録開始セクタであると判定されたセクタからアドレス情報が正常に読み出されなかった場合には、前記記録に必要なパワーへの照射パワーの上昇を行わないことを特徴とする。
【００１７】
このように構成することによって、記録開始セクタのアドレスが正常に検出されなかった場合にも、レーザ光の照射パワーは上昇されず、再生パワーで維持されるので、これによってもまた、関係のないセクタのデータを不所望に消去してしまうことを確実に防止することができる。
【００１８】
【発明の実施の形態】
本発明の実施の一形態について、図１〜図４に基づいて説明すれば、以下のとおりである。
【００１９】
図１は、本発明の実施の一形態の光ディスク記録／再生装置１１の電気的構成を説明するためのブロック図である。光ディスク１２はスピンドルモータ１３によって回転駆動され、その記録情報は光ピックアップ１４によって読取られる。光ピックアップ１４内には、図示しない半導体レーザと、その出力を制御するＡＰＣ部とが含まれており、レーザ光を光ディスク１２に照射し、その反射光に対応した再生信号Ｓ１を出力する。
【００２０】
前記再生信号Ｓ１は、ヘッドアンプ１５で再生信号Ｓ２に増幅され、クロック再生回路１６およびアドレス検出回路１７に入力される。前記クロック再生回路１６は、内部にＰＬＬ（フェイズロックドループ）を含んでおり、前記再生信号Ｓ１に同期したクロック信号Ｓ３を再生する。アドレス検出回路１７は、前記クロック信号Ｓ３と、前記再生信号Ｓ２とを入力とし、アドレス情報Ｓ４の検出を行う。また、アドレス検出回路１７は、前記ＣＲＣ等から、検出されたアドレスの誤り検出を行っており、その誤り検出結果をエラー検出信号Ｓ５として、前記アドレス情報Ｓ４と共にアドレス比較回路１８へ出力する。前記エラー検出信号Ｓ５は、アドレス領域Ａ１（図１０参照）の終了時点で、アドレスが正しく検出できた場合、１クロック分アクティブとなるパルスを出力するものである。
【００２１】
前記アドレス比較回路１８には、コントローラ１９からの記録アドレス情報Ｓ６によって、記録を行うべきセクタのアドレスが設定される。そして、後述するように、その設定されたアドレスとアドレス検出回路１７で検出された前記アドレス情報Ｓ４によるアドレスの次のセクタのアドレスとが一致した場合に、Ｒ／Ｗ切換信号Ｓ７を切換えて、記録指令をレーザ駆動回路２０へ出力する。レーザ駆動回路２０は、前記Ｒ／Ｗ切換信号Ｓ７によって記録指令を受信すると、光ピックアップ１４内の前記ＡＰＣ部へ出力する制御信号Ｓ８を、前記半導体レーザから記録用のパワーが出力されるように切換える。
【００２２】
図２は、前記アドレス比較回路１８の具体的構成を示すブロック図である。前記クロック信号Ｓ３およびエラー検出信号Ｓ５はタイミング生成回路２１に入力され、該タイミング生成回路２１は、前記アドレス領域Ａ１内の予め設定されているタイミングでアクティブとなるタイミング信号Ｓ１１を出力する。一方、アドレス検出回路１７からのアドレス情報Ｓ４は、加算器２２に入力されて１が加算される。すなわち、検出された現在のアドレスよリ１セクタ先のアドレスが求められ、そのアドレス情報Ｓ１２は比較器２３に入力される。この比較器２３には、前記コントローラ１９からの記録アドレス情報Ｓ６が入力されており、その記録を行うべきセクタのアドレスに、検出された１セクタ先のアドレスが一致すると、アドレス比較信号Ｓ１３がアクティブとされる。このアドレス比較信号Ｓ１３および前記タイミング信号Ｓ１１はコントロール回路２４に入力されており、コントロール回路２４は、前記タイミング信号Ｓ１１をイネーブル信号として、すなわち該タイミング信号Ｓ１１がアクティブの時のアドレス比較信号Ｓ１３をサンプリングして、前記Ｒ／Ｗ切換信号Ｓ７として出力する。
【００２３】
図３は、タイミング生成回路２１の詳細な構成を示すブロック図である。前記クロック信号Ｓ３はカウンタ３１に入力されており、該カウンタ３１はクロック信号Ｓ３に応答してカウント動作を行う。ここで、或るセクタのアドレス領域Ａ１と次のセクタのアドレス領域Ａ１との間隔は予め定められている。
【００２４】
また、カウンタ３１にはエラー検出信号Ｓ５が入力されており、エラー検出信号Ｓ５がアクティブとなると、すなわち検出されたアドレス情報Ｓ４がエラーでない場合は、該カウンタ３１はリセットされる。これに対して、前記アドレス情報Ｓ４がエラーの場合は、カウント値がリセットされず、カウント動作が続行される。このことで、装置立ち上げ時等のカウント値とディスク上のレーザ光の照射位置とが同期していない場合でも、アドレス情報Ｓ４が検出できた時点でカウンタ３１がリセットされ、カウント値と実際のディスク上のタイミングとが同期する。つまり、エラー検出信号Ｓ５によるリセットのタイミングと、カウンタ３１のカウント値が０に戻るタイミングとは、以後一致したものとなる。一方、光ディスク１２上の傷等でアドレス情報Ｓ４が検出できない場合は、カウンタ３１のカウント動作は続行されるので、タイミングを補間することができる。
【００２５】
前記カウンタ３１のカウント値Ｓ２１はタイミング出力回路３２に入力され、該タイミング出力回路３２は、予め定める値、たとえばＮとなると前記タイミング信号Ｓ１１をアクティブとし、それ以外は非アクティブとする。このようにタイミング出力回路３２を構成することで、予め設定しておいたタイミングでアクティブとなるタイミング信号Ｓ１１を出力することが可能となる。
【００２６】
図４は、上述のように構成される光ディスク記録／再生装置１１の記録時の動作を説明するためのタイミングチャートである。この図４では、前記コントローラ１９はセクタＳ２に記録を行うように、前記記録アドレス情報Ｓ６を設定しているものとする。また、図中のＡＤＤは前記アドレス領域Ａ１を、ＤＡＴＡは前記データ領域Ａ３を表している。さらにまた、アドレス検出回路１７で検出されるアドレス情報Ｓ４は、エラーがなく、正しく検出されているとする。
【００２７】
まず、時刻Ｔ０において、タイミング信号Ｓ１１はアクティブ（‘１’レベル）となっている。しかしながら、この時刻Ｔ０の時点では、未だセクタＳ１のアドレスが検出されておらず、アドレス検出回路１７からのアドレス情報Ｓ４は１つ前のアドレス（セクタＳ０）を出力しているので、アドレス比較回路１８内の加算器２２はアドレス情報Ｓ１２としてセクタＳ１のアドレスを出力しており、コントローラ１９で設定されたセクタＳ２のアドレスに一致していない。このため、比較器２３の出力であるアドレス比較信号Ｓ１３は非アクティブ（‘０’レベル）となっている。コントロール回路２４は、タイミング信号Ｓ１１がアクティブのときのアドレス比較信号Ｓ１３をサンプリングしてＲ／Ｗ切換信号Ｓ７として出力するので、この時点での出力は‘０’レベルである。つまり、記録指令（この場合‘１’レベルとする）にはなっていない。このため、レーザパワーも再生用のパワーを出力している。
【００２８】
次に、時刻Ｔ１の時点、すなわち記録を行うセクタＳ２の１つ前のセクタである、セクタＳ１のアドレス領域の終了時点で該セクタＳ１のアドレスが検出される。このとき、加算器２２は１つ先のアドレスをアドレス情報Ｓ１２として出力するので、該セクタＳ２のアドレスを出力する。このため、比較器２３の入力は、共にセクタＳ２のアドレスとなるので、アドレスの比較結果が一致し、アドレス比較信号Ｓ１３はアクティブ（‘１’レベル）となる。しかしながら、タイミング信号Ｓ１１が非アクティブであるので、コントロール回路２４からのＲ／Ｗ切換信号Ｓ７は、‘０’レベルのままとなる。
【００２９】
続いて、時刻Ｔ２、つまり記録を行うべきセクタＳ２のアドレス部分においてタイミング信号Ｓ１１がアクティブとなると、コントロール回路２４はアドレス比較信号Ｓ１３をサンプリングして、‘１’レベルのＲ／Ｗ切換信号Ｓ７、すなわち記録指令をレーザ駆動回路２０に出力する。レーザ駆動回路２０は前記記録指令に応答して、前記制御信号Ｓ８を、前記半導体レーザがそれまでの再生用のパワーから記録用のパワーを出力するように切換える。ここで、前記ＡＰＣ部の帯域としては、アドレス領域の間に記録用のパワーに切換えが可能な帯域に設定されている。このため、レーザパワーは、アドレス領域が終了するまでに記録用に切換わり、データ領域の先頭からデータの記録を行うことができる。
【００３０】
次に時刻Ｔ３においては、セクタＳ２のアドレスが検出される。アドレス比較回路１８内の加算器２２は前述のように検出されたアドレスよりも１セクタ先のアドレスをアドレス情報Ｓ１２として出力するので、比較器２３の入力は、セクタＳ３のアドレスとなる。このため、比較器２３はコントローラ１９からの記録アドレス情報Ｓ６で設定されたアドレスであるセクタＳ２と、加算器２２からの入力であるセクタＳ３のアドレスとを比較することになるので、両者のアドレスは一致しておらず、アドレス比較信号Ｓ１３は非アクティブ（‘０’レベル）となる。しかしながら、時刻Ｔ３の時点では、タイミング信号Ｓ１１が非アクティブ（‘０’レベル）であるので、Ｒ／Ｗ切換信号Ｓ７は記録指令である‘１’レベルのままである。このため、レーザパワーは記録用のパワーを出力し続けている。
【００３１】
時刻Ｔ４、すなわち記録を行うセクタＳ２が終了し、次のセクタＳ３のアドレス領域内においてタイミング信号Ｓ１１がアクティブとなると、Ｒ／Ｗ切換信号Ｓ７は、アドレス比較信号Ｓ１３がサンブリングされて再生指令である‘０’レベルとなる。このため、レーザパワーは再生用のパワーに切換えられる。ここでも、前記ＡＰＣ部の帯域は、アドレス領域内で再生レベルに切換わることができる帯域に設定されているので、該次のセクタＳ３のデータ領域がレーザ光の照射位置に到達するまでには、再生パワーに低下している。このため、該次のセクタＳ３のデータを破壊することなく、レーザパワーの切換えを行うことができる。
【００３２】
ここで、アドレス領域は前述のギャップ領域Ａ２（図１０参照）に比較して非常に大きく、通常、数μｓｅｃ以上あり、前記ＡＰＣ部の帯域が低くても、前述のように該アドレス領域内でパワー切換えは可能である。したがって、該アドレス領域内でのパワー切換えを可能にしても、ＡＰＣ部の帯域をむやみに高く設定する必要はなく、ノイズ等の外乱に対して半導体レーザは反応することはなく、該半導体レーザが破損することを確実に防止することができる。
【００３３】
なお、図４では、１セクタだけの記録を例にとって説明を行ったけれども、複数のセクタに連続的に記録を行う場合は、時刻Ｔ１において比較器２３でアドレスが一致した後、時刻Ｔ３までの間に、コントローラ１９が記録を行うアドレスを変更することで実現することができる。
【００３４】
以上のようにして、記録を行う１つ前のセクタのアドレスを検出しておき、実際に記録を行うべきセクタのアドレス領域においてレーザパワーを切換える構成とすることによって、ＡＰＣ部の帯域を比較的低く設定していて、レーザパワーの切換えに時間がかかっても、プリフォーマット領域であるアドレス領域においてレーザパワーを立ち上げることができ、データ領域の先頭から記録を行うことができる。また、記録の終了時も同様に、次のセクタのアドレス領域においてレーザパワーを立ち下げるので、該レーザパワーが高いままデータ領域に到達することはなく、データの誤消去が発生することはない。このため、ギャップ領域が非常に小さいか、もしくはギャップ領域を持たないような光ディスクでも、正確にデータの記録／再生を行うことができる。つまり、ギャップ領域のような冗長部分の必要のない、大容量の光ディスクを実現し、記録／再生を行うことができる。
【００３５】
なお、本光ディスク記録／再生装置１１においては、アドレス検出回路１７の出力であるアドレス情報Ｓ４に加算器２２で１を加算しているけれども、該加算器２２を省略し、コントローラ１９からの記録アドレス情報Ｓ６が実際に記録を行うアドレスよりも１つ手前のアドレスを設定するようにしてもよく、また１を減算する減算器を介して、前記記録アドレス情報Ｓ６を比較器２３に入力するようにしても、同様の効果を得ることができる。
【００３６】
本発明の実施の他の形態について、図５〜図７に基づいて説明すれば以下のとおりである。
【００３７】
図５は、本発明の実施の他の形態の光ディスク記録／再生装置４１の電気的構成を説明するためのブロック図である。この光ディスク記録／再生装置４１は前述の光ディスク記録／再生装置１１に類似し、対応する部分には同一の参照符号を付して、その説明を省略する。この光ディスク記録／再生装置４１に適用される光ディスク１２ａには、各セクタのアドレス領域に同一のアドレス情報が複数回、プリフォーマットされているものとする。
【００３８】
この光ディスク記録／再生装置４１で注目すべきは、アドレス検出回路１７ａは、前述のようにアドレス領域が終了した時点で更新されるアドレス情報Ｓ４とともに、前記アドレス領域に複数回記録されたアドレス情報の内、１回目のアドレス情報の検出結果であるアドレス情報Ｓ４ａとを出力することである。また、アドレス情報Ｓ４が正しく検出された場合に１クロック分アクティブとなる前記エラー検出信号Ｓ５の他に、前記アドレス情報Ｓ４ａのエラー検出結果であるエラー検出信号Ｓ５ａも出力する。このエラー検出信号Ｓ５ａは、エラー検出信号Ｓ５とは逆に、アドレス情報Ｓ４ａが正しく検出されなかった場合に、１クロック分アクティブとなる。前記アドレス情報Ｓ４ａは、アドレス領域の途中で検出されるので、該アドレス情報Ｓ４ａの方がアドレス情報Ｓ４よりも先にその内容が更新されることになる。
【００３９】
前記アドレス情報Ｓ４，Ｓ４ａおよびエラー検出信号Ｓ５，Ｓ５ａは、前記クロック信号Ｓ３と共にアドレス比較回路１８ａに入力される。このアドレス比較回路１８ａは、コントローラ１９で設定されたアドレスとアドレス検出回路１７ａからのアドレス情報Ｓ４によるアドレスの次のセクタのアドレスとが一致した場合に、Ｒ／Ｗ切換信号Ｓ７を切換えて記録指令をレーザ駆動回路２０に出力するけれども、アドレス情報Ｓ４ａによる実際のアドレスが記録を行うべきアドレスに一致しないとき、および該アドレス情報Ｓ４ａが正しく検出されず、エラー検出信号Ｓ５ａが出力されたときには記録を中止し、前記Ｒ／Ｗ切換信号Ｓ７を再生指令のままとする。
【００４０】
図６はアドレス比較回路１８ａの具体的構成を示すブロック図である。前記加算器２２および比較器２３は、前記アドレス比較回路１８と同様に設けられる。タイミング生成回路２１ａは、前記クロック信号Ｓ３およびエラー検出信号Ｓ５に応答して、アドレス領域に複数回記録されているアドレス情報の内の１回目のアドレス情報が検出された時点で、タイミング信号Ｓ１１ａを出力するように設定される。これは、たとえば１回目のアドレス情報が１つ前のセクタのアドレス領域の終了からＹクロックであるとすると、図３において、タイミング出力回路３２の設定値を、Ｙ＋１に設定することで実現することができる。また、タイミング出力回路３２は、前記タイミング信号Ｓ１１ａを１クロック遅延して前記タイミング信号Ｓ１１として出力する。これは、カウンタ３１のカウント値がＹ＋２となると、該タイミング信号Ｓ１１をアクティブとするように構成することで実現できる。このタイミング信号Ｓ１１がアクティブとなった時に、コントロール回路２４ａはアドレス比較信号Ｓ１３をサンプリングして、Ｒ／Ｗ切換信号Ｓ７として出力する。
【００４１】
アドレス比較回路１８ａには、前記タイミング信号Ｓ１１ａおよびアドレス比較信号Ｓ１３が入力されるＡＮＤゲート４２およびその出力が入力されるエラー判別回路４３がさらに設けられている。エラー判別回路４３は、アドレス検出回路１７ａからのアドレス情報Ｓ４ａによるアドレスと、コントローラ１９で設定された記録を行うアドレスとの比較を行い、相互に一致しないときには記録中止信号Ｓ４１を前記コントロール回路２４ａに出力する。その比較を行うのは、ＡＮＤゲート４２の出力によって、アドレス比較信号Ｓ１３が‘１’レベル、すなわち記録を行う１つ前のセクタのアドレスが相互に一致している場合で、かつタイミング信号Ｓ１１ａがアクティブの場合である。そして、エラー検出信号Ｓ５ａから、アドレス情報Ｓ４ａがエラーでなく、かつ、記録を行うように設定されているアドレスと異なる場合は、記録中止信号Ｓ４１をアクティブとする。コントロール回路２４ａは、記録中止信号Ｓ４１がアクティブとなると記録を行わない。したがって、Ｒ／Ｗ切換信号Ｓ７を非アクティブとし、レーザパワーを再生用のパワーのままとなるように制御する。
【００４２】
図７は、記録時の動作を説明するためのタイミングチャートである。この図７においては図４の場合と同様に、コントローラ１９はセクタＳ２に記録を行うように設定しているものとする。また、図７においては、レーザ光の照射位置はセクタＳ１を通過した後、外乱等の影響で別のアドレス（セクタＳＸとする）に移動してしまった状態を示している。
【００４３】
先ず、時刻Ｔ１０において、タイミング信号Ｓ１１ａはアクティブ（‘１’レベル）となっている。しかしながら、アドレス比較信号Ｓ１３がアクティブとなっていないので、エラー判別回路４３はエラー判別を行わない。
【００４４】
次に、時刻Ｔ１０から、１クロック後の時刻Ｔ１１でタイミング信号Ｓ１１がアクティブとなる。この時点では、アドレス情報Ｓ４においては、未だセクタＳ１のアドレスが検出されておらず、１つ前のセクタＳ０のアドレスを出力している。このため、アドレス比較回路１８ａ内の加算器２２の出力Ｓ１２はセクタＳ１のアドレスを出力しており、コントローラ１９で設定されたセクタＳ２のアドレスに一致していない。このため、比較器２３の出力であるアドレス比較信号Ｓ１３は非アクティブ（‘０’レベル）となっている。コントロール回路２４ａは、タイミング信号Ｓ１１がアクティブの時のアドレス比較信号Ｓ１３をサンプリングしてＲ／Ｗ切換信号Ｓ７として出力するので、この時点での出力は‘０’レベルで、記録指令にはなっていない。このため、レーザパワーも再生用のパワーとなっている。
【００４５】
続いて、時刻Ｔ１２の時点、つまり記録を行うセクタＳ２の１つ前のセクタである、セクタＳ１のアドレス領域終了時点でセクタＳ１のアドレスがアドレス情報Ｓ４で検出される。このとき、加算器２２はセクタＳ２のアドレスを出力する。このため、比較器２３の入力は共にセクタＳ２のアドレスとなるので、アドレスの比較結果が一致し、アドレス比較信号Ｓ１３はアクティブ（‘１’レベル）となる。この時点では、タイミング信号Ｓ１１ａが非アクティブであるので、コントロール回路２４ａの出力は、‘０’レベルのままとなる。
【００４６】
次に、レーザ光の照射位置が記録を行うアドレスであるセクタＳ２ではなく、セクタＳＸに移勤し、時刻Ｔ１３ではタイミング信号Ｓ１１ａがアクティブとなる。このタイミング信号Ｓ１１ａはアドレス領域における１回目のアドレス情報が検出された時点でアクティブとなるので、アドレス情報Ｓ４ａは該時刻Ｔ１３の時点で、セクタＳＸのアドレスに更新されている。しかも、エラー検出信号Ｓ５ａが非アクティブ（‘０’レベルとする）であるので、このアドレス情報Ｓ４ａはエラーでないことが分かる。
【００４７】
ここで、エラー判別回路４３は、アドレス比較信号Ｓ１３およびタイミング信号Ｓ１１ａが共にアクティブとなっているので、アドレス情報Ｓ４ａとコントローラ１９で設定されているアドレスとの比較を行う。そして、アドレス情報Ｓ４ａはセクタＳ２ではなくセクタＳＸのアドレスを検出しているので、エラー判別回路４３はエラーであることを判定し、記録中止信号Ｓ４１をアクティブ（‘１’レベル）とする。コントロール回路２４ａには、この記録中止信号Ｓ４１が入力されるので、記録動作は行われなくなる。
【００４８】
このように構成することによって、アドレス領域における１回目のアドレス情報を検出した後であれば、通常、記録を行うセクタのアドレスになっているアドレス情報Ｓ４ａが、記録を行う１つ前のセクタを通過後に、外乱等の影響でトラック飛びが発生した場合には、正しくない値となっているので、該アドレス情報Ｓ４ａを検出することによって、記録を行うべきアドレスであるか否かを判定することができる。こうして、１つ前のセクタにおいて正しいアドレスが検出されても、実際に記録を開始する時点のアドレスが設定されているアドレスからずれてしまったことが検出された場合は記録動作に入らないので、誤ったデータ領域のデータを消去してしまうことを防止することができ、信頼性の高い動作を実現することができる。
【００４９】
なお、上記の説明では、タイミング信号Ｓ１１ａの出力を、複数回記録されているアドレス情報のうち、１回目のアドレス情報の後としているけれども、その他のタイミングで出力するようにしてもよく、前記ＡＰＣ部の帯域と所望とする判定精度に適応して定められればよい。
【００５０】
本発明の実施のさらに他の形態について、図８に基づいて説明すれば以下のとおりである。
【００５１】
図８は、本発明の実施のさらに他の形態の光ディスク記録／再生装置の記録動作を説明するためのタイミングチャートである。この動作は前述の図５および図６で示す構成で実現することができ、図７で示す動作に類似している。注目すべきは、エラー判別回路４３は、アドレス比較信号Ｓ１３およびタイミング信号Ｓ１１ａが共にアクティブとなった時刻Ｔ１３で、アドレス情報Ｓ４ａとコントローラ１９で設定されているアドレスとの比較を行うにあたって、エラー判別回路４３は、アドレス検出回路１７ａからのエラー検出信号Ｓ５ａによって前記アドレス情報Ｓ４ａが正常に検出できなかった場合には、前記記録中止信号Ｓ４１をアクティブ（‘１’レベル）とすることである。図８では、アドレス情報Ｓ４ａは真偽が疑わしいセクタＳＸのアドレスを検出している。
【００５２】
このように構成することによって、記録を行うセクタのアドレスが正常に検出されなかった場合に記録動作を行わないので、アドレスが正しく検出できた場合のみ記録を行うことができ、これによってもまた、誤ったデータ領域のデータを消去してしまうことを防止することができ、信頼性の高い動作を実現することができる。
【００５３】
【発明の効果】
本発明の光ディスクのデータ記録装置は、以上のように、アドレス情報がプリフォーマットされている光ディスクに記録を行うにあたって、記録開始セクタよりも以前のセクタもおいて読出されたアドレス情報に基づいて記録開始セクタであるか判定し、記録開始セクタであると判定すると、レーザ光の照射位置にそのセクタのアドレス領域が到達する時点からレーザ光の照射パワーを再生時のパワーから記録時のパワーに上昇し、記録を終了すると、次のセクタのアドレス領域で前記再生時のパワーに低下する。
【００５４】
それゆえ、レーザ光のＡＰＣの制御帯域から、パワーの立上がり、立下りに時間がかかるような場合でも、光ディスクの記録容量を減少させることなく、所望とするアドレスに正確に情報を記録することができる。
【００５５】
しかも、アドレス領域には、アドレス情報が複数回記録されており、記録開始セクタであると判定したセクタから読み出された少なくとも１回目のアドレス情報を基に、判定した前記記録開始セクタが正しいセクタであるか否かをさらに判定し、正しいセクタであると判別された後に照射パワーを前記記録に必要なパワーに上昇するようにし、記録開始セクタよりも以前に記録開始セクタであると判定されていても、実際の記録開始セクタとなると、もう１度セクタの判定を行う。
【００５６】
それゆえ、トラック飛びなどによって正しいセクタから外れてしまうとレーザ光の照射パワーは上昇されず、再生時のパワーのままで維持されるので、関係のないセクタのデータを不所望に消去してしまうことを確実に防止することができる。
【００５７】
また、本発明の光ディスクのデータ記録装置では、前記レーザパワー制御手段は、記録開始セクタであると判定されたセクタからアドレス情報が正常に読み出されなかった場合には、前記記録に必要なパワーへの照射パワーの上昇を行わないことを特徴とする。
【００５８】
このように構成することによって、記録開始セクタのアドレスが正常に検出されなかった場合にも、レーザ光の照射パワーは上昇されず、再生パワーで維持されるので、これによってもまた、関係のないセクタのデータを不所望に消去してしまうことを確実に防止することができる。
【図面の簡単な説明】
【図１】本発明の実施の一形態の光ディスク記録／再生装置の電気的構成を説明するためのブロック図である。
【図２】図１の光ディスク記録／再生装置におけるアドレス比較回路の具体的構成を示すブロック図である。
【図３】図２のアドレス比較回路におけるタイミング生成回路の詳細な構成を示すブロック図である。
【図４】図１の光ディスク記録／再生装置の記録時の動作を説明するためのタイミングチャートである。
【図５】本発明の実施の他の形態の光ディスク記録／再生装置の電気的構成を説明するためのブロック図である。
【図６】図５の光ディスク記録／再生装置におけるアドレス比較回路の具体的構成を示すブロック図である。
【図７】図５の光ディスク記録／再生装置の記録時の動作を説明するためのタイミングチャートである。
【図８】本発明の実施のさらに他の形態の光ディスク記録／再生装置の記録時の動作を説明するためのタイミングチャートである。
【図９】一般的なレーザパワー制御回路の電気的構成を示すブロック図である。
【図１０】光ディスクのセクタの構成例を示す図である。
【符号の説明】
１    レーザパワー制御回路
２    半導体レーザ
３    ディテクタ
４    電流電圧変換回路
５    比較回路
６    電流ドライバ
１１，４１      光ディスク記録／再生装置
１２，１２ａ    光ディスク
１３    スピンドルモータ
１４    光ピックアップ
１５    ヘッドアンプ
１６    クロック再生回路
１７，１７ａ    アドレス検出回路（アドレス判定手段）
１８，１８ａ    アドレス比較回路（アドレス判定手段）
１９    コントローラ
２０    レーザ駆動回路（レーザパワー制御手段）
２１，２１ａ    タイミング生成回路
２２    加算器
２３    比較器
２４    コントロール回路
３１    カウンタ
３２    タイミング出力回路
Ａ１    アドレス領域
Ａ２    ギャップ領域
Ａ３    データ領域
ＩＤ    アドレスデータ
ＣＲＣ    誤り検出符号
ＳＹＮＣ  同期信号
Ｓ    セクタ
【図１】
0003571279.tif 000002
【図２】
0003571279.tif 000003
【図３】
0003571279.tif 000004
【図４】
0003571279.tif 000005
【図５】
0003571279.tif 000006
【図６】
0003571279.tif 000007
【図７】
0003571279.tif 000008
【図８】
0003571279.tif 000009
【図９】
0003571279.tif 000010
【図１０】
0003571279.tif 000011